(57)【特許請求の範囲】
【請求項１】
前面側に開口が形成された基体と、
前記基体の前記開口に対して開閉自在に設けられた扉と、
前記扉よりも前記基体の奥側において前記基体の内部空間に設けられ、制御対象に電気的に接続された中継ユニットと、
前記扉よりも前記基体の奥側かつ前記中継ユニットよりも前記基体の手前側において前記基体の内部空間に設けられ、前記中継ユニットに電気的に接続されたＩＯユニットと、
前記扉よりも前記基体の奥側において前記基体の内部空間に設けられた中柱と、
を備え、
前記中継ユニットと前記ＩＯユニットとは、ＩＯアダプタ収納更新ユニットとして一体化された状態で前記中柱に支持され、
前記ＩＯアダプタ収納更新ユニットは、
前記中継ユニットの一側から前記扉の側へ突き出した第１側面パネルと、
前記中継ユニットの他側から前記扉の側へ突き出した第２側面パネルと、
前記第１側面パネルにおける前記扉の側の端部の上部と前記第２側面パネルにおける前記扉の端部の側の上部とに対して回転自在に支持された上部を有し、前面において前記ＩＯユニットを支持した前面パネルと、
を備えた制御盤。
【請求項２】
前面側に開口が形成された基体と、
前記基体の前記開口に対して開閉自在に設けられた扉と、
前記扉よりも前記基体の奥側において前記基体の内部空間に設けられ、制御対象に電気的に接続された中継ユニットと、
前記扉よりも前記基体の奥側かつ前記中継ユニットよりも前記基体の手前側において前記基体の内部空間に設けられ、前記中継ユニットに電気的に接続されたＩＯユニットと、
前記扉よりも前記基体の奥側において前記基体の内部空間に設けられた中柱と、
を備え、
前記中継ユニットと前記ＩＯユニットとは、ＩＯアダプタ収納更新ユニットとして一体化された状態で前記中柱に支持され、
前記ＩＯアダプタ収納更新ユニットは、
前記中継ユニットの一側の下部に対して回転自在に連結された一端部を有した第１腕体と、
前記中継ユニットの他側の下部に対して回転自在に連結された一端部を有した第２腕体と、
前記第１腕体の他端部と前記第２腕体の他端部とに対して回転自在に連結された上部を有し、前面において前記ＩＯユニットを支持した前面パネルと、
を備えた制御盤。
【請求項３】
前記前面パネルは、前記第１腕体と前記第２腕体とに対して着脱自在に設けられた請求項２に記載の制御盤。
【請求項４】
前記ＩＯアダプタ収納更新ユニットは、
一側において前記ＩＯユニットの前面側に接続され、前記ＩＯユニットと前記前面パネルとの下方を経由し、他側において前記中継ユニットの前面側に接続された盤内ＩＯケーブルと、
前記中継ユニットと前記前面パネルとの間に設けられ、操作されることにより前記盤内ＩＯケーブルの位置を調整する調整機構と、
を備えた請求項２または請求項３に記載の制御盤。
【発明の詳細な説明】
【技術分野】
【０００１】
この発明は、制御盤に関する。
【背景技術】
【０００２】
特許文献１は、制御盤の更新方法を開示する。当該更新方法において、制御盤の更新は、中継盤を介して行われる。
【先行技術文献】
【特許文献】
【０００３】
【特許文献１】特開２０００−１３９３７号公報
【発明の概要】
【発明が解決しようとする課題】
【０００４】
しかしながら、特許文献１に記載の更新方法においては、中継盤の設置により工事時間が長くなる。
【０００５】
この発明は、上述の課題を解決するためになされた。制御盤とは別に中継盤を用意することなく、更新することができる制御盤を提供することである。
【課題を解決するための手段】
【０００６】
この発明に係る制御盤は、前面側に開口が形成された基体と、前記基体の前記開口に対して開閉自在に設けられた扉と、前記扉よりも前記基体の奥側において前記基体の内部空間に設けられ、制御対象に電気的に接続された中継ユニットと、前記扉よりも前記基体の奥側かつ前記中継ユニットよりも前記基体の手前側において前記基体の内部空間に設けられ、前記中継ユニットに電気的に接続されたＩＯユニットと、を備え、前記中継ユニットと前記ＩＯユニットとは、ＩＯアダプタ収納更新ユニットとして一体化された状態で前記中柱に支持され、前記ＩＯアダプタ収納更新ユニットは、前記中継ユニットの一側から前記扉の側へ突き出した第１側面パネルと、前記中継ユニットの他側から前記扉の側へ突き出した第２側面パネルと、前記第１側面パネルにおける前記扉の側の端部の上部と前記第２側面パネルにおける前記扉の端部の側の上部とに対して回転自在に支持された上部を有し、前面において前記ＩＯユニットを支持した前面パネルと、を備えた。
この発明に係る制御盤は、前面側に開口が形成された基体と、前記基体の前記開口に対して開閉自在に設けられた扉と、前記扉よりも前記基体の奥側において前記基体の内部空間に設けられ、制御対象に電気的に接続された中継ユニットと、前記扉よりも前記基体の奥側かつ前記中継ユニットよりも前記基体の手前側において前記基体の内部空間に設けられ、前記中継ユニットに電気的に接続されたＩＯユニットと、前記扉よりも前記基体の奥側において前記基体の内部空間に設けられた中柱と、を備え、前記中継ユニットと前記ＩＯユニットとは、ＩＯアダプタ収納更新ユニットとして一体化された状態で前記中柱に支持され、前記ＩＯアダプタ収納更新ユニットは、前記中継ユニットの一側の下部に対して回転自在に連結された一端部を有した第１腕体と、前記中継ユニットの他側の下部に対して回転自在に連結された一端部を有した第２腕体と、前記第１腕体の他端部と前記第２腕体の他端部とに対して回転自在に連結された上部を有し、前面において前記ＩＯユニットを支持した前面パネルと、を備えた。
【発明の効果】
【０００７】
この発明によれば、中継ユニットとＩＯユニットとは、基体の内部空間に設けられる。このため、制御盤とは別に中継盤を用意することなく、制御盤を更新することができる。
【図面の簡単な説明】
【０００８】
【図１】この発明の実施の形態１における制御盤の斜視図である。
【図２】この発明の実施の形態１における制御盤の要部の拡大斜視図である。
【図３】この発明の実施の形態１における制御盤の斜視図である。
【図４】この発明の実施の形態１における制御盤の要部の拡大斜視図である。
【図５】この発明の実施の形態２における制御盤の斜視図である。
【図６】この発明の実施の形態２における制御盤の斜視図である。
【図７】この発明の実施の形態２における制御盤の要部の拡大斜視図である。
【図８】この発明の実施の形態２における制御盤の要部の側面図である。
【図９】この発明の実施の形態２における制御盤の要部の側面図である。
【図１０】この発明の実施の形態３における制御盤の要部の斜視図である。
【図１１】この発明の実施の形態３における制御盤の要部の分解斜視図である。
【図１２】この発明の実施の形態４における制御盤の要部の斜視図である。
【図１３】この発明の実施の形態４における制御盤の要部の側面図である。
【図１４】この発明の実施の形態４における制御盤の要部の側面図である。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略する。
【００１０】
実施の形態１．
図１はこの発明の実施の形態１における制御盤の斜視図である。図２はこの発明の実施の形態１における制御盤の要部の拡大斜視図である。
【００１１】
制御盤において、基体１は、箱体１ａと拡張枠１ｂとを備える。箱体１ａは、直方体状に形成される。開口は、箱体１ａの前面側に形成される。拡張枠１ｂは、角筒状に形成される。拡張枠１ｂは、箱体１ａの前面側に装着される。その結果、制御盤の奥行寸法は、延長される。扉２は、拡張枠１ｂの前面側の開口に対して開閉自在に設けられる。例えば、扉２は、片開き式の扉である。一対の中柱３は、扉２よりも基体１の奥側において箱体１ａの内部空間に設けられる。新設ＩＯアダプタ収納更新ユニット４は、既設ＩＯユニット５と置き換えられる。新設ＩＯアダプタ収納更新ユニット４は、一対の中柱３の上部に支持される。
【００１２】
新設ＩＯアダプタ収納更新ユニット４は、中継ユニット４ａと新設ＩＯユニット４ｂと第１側面パネル４ｃと第２側面パネル４ｄと前面パネル４ｅと盤内ＩＯケーブル４ｆを備える。例えば、中継ユニット４ａと新設ＩＯユニット４ｂと第１側面パネル４ｃと第２側面パネル４ｄと前面パネル４ｅと盤内ＩＯケーブル４ｆとは、予め一体化された状態で現地に発送される。
【００１３】
中継ユニット４ａは、扉２よりも基体１の奥側において基体１の内部空間において一対の中柱３の上部にまたがって設けられる。新設ＩＯユニット４ｂは、扉２よりも基体１の奥側かつ中継ユニット４ａよりも基体１の手前側において基体１の内部空間に設けられる。
【００１４】
第１側面パネル４ｃは、矩形状に形成される。第１側面パネル４ｃは、中継ユニット４ａの一側から扉２の側へ突き出す。第２側面パネル４ｄは、矩形状に形成される。第２側面パネル４ｄは、中継ユニット４ａの他側から扉２の側へ突き出す。前面パネル４ｅは、矩形状に形成される。前面パネル４ｅの上部は、第１側面パネル４ｃにおける扉２の側の端部の上部と第２側面パネル４ｄにおける扉２の側の端部の上部とに対して回転自在に支持される。前面パネル４ｅは、前面において新設ＩＯユニット４ｂを支持する。
【００１５】
盤内ＩＯケーブル４ｆは、新設ＩＯユニット４ｂと前面パネル４ｅとの下方を経由して中継ユニット４ａと新設ＩＯユニット４ｂとを電気的に接続する。具体的には、盤内ＩＯケーブル４ｆの一側は、図示しないコネクタを介して新設ＩＯユニット４ｂの前面側に接続される。盤内ＩＯケーブル４ｆの他側は、図示しないコネクタを介して中継ユニット４ａの前面側に接続される。盤内ＩＯケーブル４ｆの結線は、新設ＩＯユニット４ｂと既設ＩＯユニット５とのピンアサインの違いを考慮して行われる。
【００１６】
既設外線ケーブル６の一側は、図示しない制御対象に電気的に接続される。既設外線コネクタ７は、既設外線ケーブル６の他側に接続される。既設外線コネクタ７は、既設ＩＯユニット５から取り外される。既設外線コネクタ７は、中継ユニット４ａの前面側に取り付けられる。その結果、中継ユニット４ａは、制御対象に電気的に接続される。
【００１７】
次に、図３と図４とを用いて、中継ユニット４ａの保守作業を説明する。
図３はこの発明の実施の形態１における制御盤の斜視図である。図４はこの発明の実施の形態１における制御盤の要部の拡大斜視図である。
【００１８】
図３に示すように、中継ユニット４ａの保守作業は、扉２が開いた状態で行われる。
【００１９】
図４に示すように、新設ＩＯアダプタ収納更新ユニット４は、第１開閉機構４ｇと第２開閉機構４ｈとを備える。第１開閉機構４ｇは、第１側面パネル４ｃの上部に対して前面パネル４ｅの上部の一側を回転自在に支持する。第２開閉機構４ｈは、第２側面パネル４ｄの上部に対して前面パネル４ｅの上部の他側を回転自在に支持する。
【００２０】
中継ユニット４ａの保守作業時において、前面パネル４ｅの下部は、制御盤の手前側に持ち上げられる。この際、前面パネル４ｅは、第１回転機構と第２回転機構とを軸として回転する。その結果、中継ユニット４ａは、制御盤の前面側から保守され得る状態となる。
【００２１】
以上で説明した実施の形態１によれば、中継ユニット４ａと新設ＩＯユニット４ｂとは、基体１の内部空間に設けられる。このため、制御盤とは別に中継盤を用意することなく、制御盤を更新することができる。
【００２２】
また、新設ＩＯアダプタ収納更新ユニット４は、予め一体化される。このため、新設ＩＯアダプタ収納更新ユニット４と同時期に盤内ＩＯケーブル４ｆを製作することができる。その結果、制御盤の更新時には、中継ユニット４ａへコネクタを接続する作業のみが必要となる。この場合、新設ＩＯアダプタ収納更新ユニット４の出荷前に、新設ＩＯユニット４ｂと盤内ＩＯケーブル４ｆとの間の配線チェックおよび新設ＩＯユニット４ｂのＩＯチェックを実施することができる。このため、現地での制御盤の更新時間を削減することができる。
【００２３】
実施の形態２．
図５はこの発明の実施の形態２における制御盤の斜視図である。なお、実施の形態１と同一又は相当部分には、同一符号が付される。当該部分の説明は省略される。
【００２４】
実施の形態２の制御盤においては、基体１は、拡張枠１ｂを備えない。扉２は、箱体１ａの前面側の開口に対して開閉自在に設けられる。
【００２５】
次に、図６と図７とを用いて、中継ユニット４ａの保守作業を説明する。
図６はこの発明の実施の形態２における制御盤の斜視図である。図７はこの発明の実施の形態２における制御盤の要部の拡大斜視図である。
【００２６】
図６に示すように、実施の形態２の新設ＩＯアダプタ収納更新ユニット４は、実施の形態１の新設ＩＯアダプタ収納更新ユニット４と異なる。
【００２７】
図７に示すように、新設ＩＯアダプタ収納更新ユニット４は、中継ユニット４ａと新設ＩＯユニット４ｂと第１腕体４ｉと第２腕体４ｊと前面パネル４ｅと盤内ＩＯケーブル４ｆ（図７においては図示せず）とを備える。例えば、中継ユニット４ａと新設ＩＯユニット４ｂと第１腕体４ｉと第２腕体４ｊと前面パネル４ｅと盤内ＩＯケーブル４ｆとは、予め一体化された状態で現地に発送される。
【００２８】
実施の形態２の中継ユニット４ａと新設ＩＯユニット４ｂと前面パネル４ｅと盤内ＩＯケーブル４ｆは、実施の形態１の中継ユニット４ａと新設ＩＯユニット４ｂと前面パネル４ｅと盤内ＩＯケーブル４ｆと同様である。
【００２９】
第１腕体４ｉの一端部は、中継ユニット４ａの一側の下部に対して回転自在に連結される。第１腕体４ｉの他端部は、前面パネル４ｅの上部の一側に対して回転自在に連結される。第２腕体４ｊの一端部は、中継ユニット４ａの他側の下部に対して回転自在に連結される。第２腕体４ｊの他端部は、前面パネル４ｅの上部の他側に対して回転自在に連結される。
【００３０】
中継ユニット４ａの保守作業時において、前面パネル４ｅは、制御盤の手前側に引き出される。この際、前面パネル４ｅは、第１腕体４ｉと第２腕体４ｊとによる移動の規制により下方に引き出される。その結果、中継ユニット４ａは、制御盤の前面側から保守され得る状態となる。
【００３１】
中継ユニット４ａの保守作業の終了時において、前面パネル４ｅは、制御盤の奥側に押し戻される。この際、前面パネル４ｅは、第１腕体４ｉと第２腕体４ｊとによる移動の規制により上方に押し戻される。その結果、前面パネル４ｅは、箱体１ａの内部空間に収納される。
【００３２】
次に、図８と図９とを用いて、新設ＩＯユニット４ｂと前面パネル４ｅとの配置を説明する。
図８と図９とはこの発明の実施の形態２における制御盤の要部の側面図である。
【００３３】
図８に示すように、第１ダクト８ａは、新設ＩＯアダプタ収納更新ユニット４の上方に設けられる。第２ダクト８ｂは、新設ＩＯアダプタ収納更新ユニット４の下方に設けられる。
【００３４】
保守作業が必要ない場合、新設ＩＯアダプタ収納更新ユニット４は、箱体１ａの内部空間に収納される。新設ＩＯユニット４ｂは、新設ＩＯアダプタ収納更新ユニット４から上下方向に突き出さない。このため、新設ＩＯユニット４ｂと前面パネル４ｅとは、第１ダクト８ａと第２ダクト８ｂとの間に配置される。
【００３５】
図９に示すように、保守作業が必要な場合、新設ＩＯユニット４ｂと前面パネル４ｅとは、制御盤の手前側かつ下側に引き出される。その結果、箱体１ａの内部空間からはみ出す。この際、保留領域が確保される。
【００３６】
以上で説明した実施の形態２によれば、前面パネル４ｅの移動は、第１腕体４ｉと第２腕体４ｊとにより規制される。このため、新設ＩＯユニット４ｂと前面パネル４ｅとは、第１ダクト８ａと第２ダクト８ｂに接触することなく、引き出すことができる。
【００３７】
また、中継ユニット４ａの保守作業の終了時において、前面パネル４ｅは、制御盤の奥側に押し戻される。このため、拡張枠１ｂを設けることなく、制御盤を更新することができる。その結果、現地での改造時間と試験時間とを削減することができる。
【００３８】
実施の形態３．
図１０はこの発明の実施の形態３における制御盤の要部の斜視図である。図１１はこの発明の実施の形態３における制御盤の要部の分解斜視図である。なお、実施の形態２と同一又は相当部分には、同一符号が付される。当該部分の説明は省略される。
【００３９】
実施の形態３の前面パネル４ｅは、第１腕体４ｉと第２腕体４ｊとに対して着脱自在に設けられる。具体的には、第１腕体４ｉの他端部は、第１着脱ピン４ｋを介して前面パネル４ｅの上部の一側に対して回転自在に連結される。第２腕体４ｊの他端部は、第２着脱ピン４ｌを介して前面パネル４ｅの上部の他側に対して回転自在に連結される。
【００４０】
以上で説明した実施の形態３によれば、前面パネル４ｅは、第１腕体４ｉと第２腕体４ｊとに対して着脱自在に設けられる。このため、現地での制御盤の改造時において作業性の効率を上げることができる。
【００４１】
実施の形態４．
図１２はこの発明の実施の形態４における制御盤の要部の斜視図である。なお、実施の形態２と同一又は相当部分には、同一符号が付される。当該部分の説明は省略される。
【００４２】
実施の形態４の新設ＩＯアダプタ収納更新ユニット４は、実施の形態２の新設ＩＯアダプタ収納更新ユニット４に対して第１ケーブルサポート４ｍと第２ケーブルサポート４ｎと調整機構４ｏとが付加された新設ＩＯアダプタ収納更新ユニットである。
【００４３】
第１ケーブルサポート４ｍは、前面パネル４ｅの後面の上部に設けられる。第２ケーブルサポート４ｎは、前面パネル４ｅの後面の下部に設けられる。調整機構４ｏは、中継ユニット４ａと前面パネル４ｅとの間に設けられる。
【００４４】
前面パネル４ｅの後面の側において、盤内ＩＯケーブル４ｆは、第１ケーブルサポート４ｍと第２ケーブルサポート４ｎとによりある程度整列される。盤内ＩＯケーブル４ｆの最終的な位置は、調整機構４ｏにより調整される。
【００４５】
次に、図１３と図１４とを用いて、盤内ＩＯケーブル４ｆの収納を説明する。
図１３と図１４とはこの発明の実施の形態４における制御盤の要部の側面図である。
【００４６】
図１３に示すように、新設ＩＯユニット４ｂと前面パネル４ｅとが箱体１ａの奥側に押し戻された直後において、盤内ＩＯケーブル４ｆの一部は、新設ＩＯアダプタ収納更新ユニット４の上部からはみ出し得る。
【００４７】
この際、図１４に示すように、保守作業者が調整機構４ｏを回転操作を行うと、盤内ＩＯケーブル４ｆの位置は、調整機構４ｏとの接触により調整される。その結果、盤内ＩＯケーブル４ｆの一部は、新設ＩＯアダプタ収納更新ユニット４の上部からはみ出さなくなる。
【００４８】
以上で説明した実施の形態４によれば、調整機構４ｏは、盤内ＩＯケーブル４ｆの位置を調整する。このため、盤内ＩＯケーブル４ｆを新設ＩＯアダプタ収納更新ユニット４の内部にストレスなく収納することができる。その結果、現地での制御盤の改造時において作業性の効率をさらに上げることができる。
【符号の説明】
【００４９】
１  基体、  １ａ  箱体、  １ｂ  拡張枠、  ２  扉、  ３  中柱、  ４  新設ＩＯアダプタ収納更新ユニット、  ４ａ  中継ユニット、  ４ｂ  新設ＩＯユニット、  ４ｃ  第１側面パネル、  ４ｄ  第２側面パネル、  ４ｅ  前面パネル、  ４ｆ  盤内ＩＯケーブル、  ４ｇ  第１開閉機構、  ４ｈ  第２開閉機構、  ４ｉ  第１腕体、  ４ｊ  第２腕体、  ４ｋ  第１着脱ピン、  ４ｌ  第２着脱ピン、  ４ｍ  第１ケーブルサポート、  ４ｎ  第２ケーブルサポート、  ４ｏ  調整機構、  ５  既設ＩＯユニット、  ６  既設外線ケーブル、  ７  既設外線コネクタ、  ８ａ  第１ダクト、  ８ｂ  第２ダクト
【図１】
0006500815.tif 000002
【図２】
0006500815.tif 000003
【図３】
0006500815.tif 000004
【図４】
0006500815.tif 000005
【図５】
0006500815.tif 000006
【図６】
0006500815.tif 000007
【図７】
0006500815.tif 000008
【図８】
0006500815.tif 000009
【図９】
0006500815.tif 000010
【図１０】
0006500815.tif 000011
【図１１】
0006500815.tif 000012
【図１２】
0006500815.tif 000013
【図１３】
0006500815.tif 000014
【図１４】
0006500815.tif 000015